(57)【要約】【課題】音声による演出効果を飛躍的に向上させる。【解決手段】リール（１２ａ等）の表面に複数の図柄を表示し、該リールを回転させることにより複数の図柄を可変表示する。リールの内部に、音声を発生するスピーカ４１を配設する。リールの内部に、リールの表面に表示された図柄を透過照明する照明装置（ランプハウス３３およびバックランプ３４ａ〜３４ｃ）を配設し、スピーカ４１は、照明装置と一体に設ける。リールの表面に、複数の図柄のうちの特定図柄（例えば「七」）に対応させて、スピーカ４１から発生した音声を透過する透音孔３５を設ける。【選択図】          図１
2005040486.tif 000002
【特許請求の範囲】
【請求項１】
リールの表面に複数の図柄を表示し、該リールを回転させることにより前記複数の図柄を可変表示する可変表示装置を備えた遊技機において、
前記リールの内部に、音声を発生するスピーカを配設したことを特徴とする遊技機。
【請求項２】
前記リールの内部に、前記リールの表面に表示された図柄を透過照明する照明装置を配設し、
前記スピーカは、前記照明装置と一体に設けられていることを特徴とする請求項１記載の遊技機。
【請求項３】
前記リールの表面に、前記複数の図柄のうちの特定図柄に対応させて、前記スピーカから発生した音声を透過する透音孔を設けたことを特徴とする請求項１または２記載の遊技機。
【発明の詳細な説明】
【技術分野】
【０００１】
本発明は、効果音等を発生するスピーカを備えた遊技機に関する。
【背景技術】
【０００２】
従来、パチスロ遊技機等の遊技機は、効果音等を発生するためのスピーカを備えている。
このスピーカは、遊技状態に合わせて効果音を発生する等、遊技者に音声を聴取させるための部材であり、遊技機の前面上部等に、遊技者に向かって配設されている（例えば、特許文献１参照）。
【０００３】
【特許文献１】特開２００３−６２１５６号公報
【発明の開示】
【発明が解決しようとする課題】
【０００４】
上記従来の遊技機では、音声のリズム、テンポ、強弱等をソフト的に制御することにより演出効果を高めて、遊技の面白さを向上させようとしている。しかしながら、スピーカから発生する音声をソフト的に制御しただけでは、音声の出力態様に際だった変化を持たせることができず、演出効果を高めるために更なる改良が求められていた。
【０００５】
本発明は、上述した事情に鑑み提案されたもので、音声による演出効果を飛躍的に向上させることが可能な遊技機を提供することを目的とする。
【課題を解決するための手段】
【０００６】
本発明に係る遊技機は、上述した目的を達成するため、以下の特徴点を備えている。なお、本発明に係る遊技機の各構成要素について、図面に付した符号を参照して、具体的な適用例を示すが、各構成要素はこれらに限定されるものではない。
【０００７】
すなわち、本発明に係る遊技機は、リール（１２ａ，１２ｂ，１２ｃ）の表面に複数の図柄を表示し、該リール（１２ａ，１２ｂ，１２ｃ）を回転させることにより前記複数の図柄を可変表示する可変表示装置を備えた遊技機（例えば、パチスロ遊技機）において、
前記リール（１２ａ，１２ｂ，１２ｃ）の内部に、音声を発生するスピーカ（４１）を配設したことを特徴とするものである。
【０００８】
なお、リール（１２ａ，１２ｂ，１２ｃ）の表面とは、回胴本体（３１）の表面のことを意味するが、回胴本体（３１）の外周に図柄を印刷したリールテープ（３２）を取り付けた場合には、このリールテープ（３２）のことを意味するものとする。
【０００９】
このような構成からなる遊技機では、リール（１２ａ，１２ｂ，１２ｃ）の内部に配設されたスピーカ（４１）から発生する音声が遊技機に対面した遊技者に達することとなる。このため、遊技者には、スピーカ（４１）から発生される音声がリール（１２ａ，１２ｂ，１２ｃ）から聞こえてくるように感じられる。したがって、リール（１２ａ，１２ｂ，１２ｃ）による図柄の可変表示とスピーカ（４１）から発生する効果音とが一体となり、音声による演出効果を飛躍的に向上させることが可能となる。
【００１０】
また、本発明に係る遊技機は、前記構成に加えて、前記リール（１２ａ，１２ｂ，１２ｃ）の内部に、前記リール（１２ａ，１２ｂ，１２ｃ）の表面に表示された図柄を透過照明する照明装置（ランプハウス３３、バックランプ３４ａ，３４ｂ，３４ｃ）を配設し、
前記スピーカ（４１）は、前記照明装置（ランプハウス３３、バックランプ３４ａ，３４ｂ，３４ｃ）と一体に設けられていることを特徴とするものである。
【００１１】
このような構成からなる遊技機では、照明装置（ランプハウス３３、バックランプ３４ａ，３４ｂ，３４ｃ）とスピーカ（４１）をユニット化することができる。したがって、遊技機の製造およびメンテナンスが容易となる。
【００１２】
また、本発明に係る遊技機は、前記リール（１２ａ，１２ｂ，１２ｃ）の表面に、前記複数の図柄のうちの特定図柄（例えば「七」）に対応させて、前記スピーカ（４１）から発生した音声を透過する透音孔（３７）を設けたことを特徴とするものである。
【００１３】
このような構成からなる遊技機では、遊技機の正面側に特定図柄が回動してきた時に、スピーカ（４１）からの音声が透音孔（３７）を透過して大きく聞こえることとなる。したがって、スピーカ（４１）を制御するためのプログラムを変更することなく、音声に強弱を付けることができる。特に、いわゆる目押しの補助を行うために、特定図柄が回動してきたことを報知する場合には、リール（１２ａ，１２ｂ，１２ｃ）の位置を検出して音声の強弱を制御する必要がないため、制御装置の負荷を軽減することができる。
【発明の効果】
【００１４】
本発明に係る遊技機によれば、リールの内部にスピーカを配設しているため、遊技を行っている遊技者にとってみれば、あたかもリールから音声が発生しているように感じることができ、音声による演出効果を飛躍的に向上させることが可能となる。
【発明を実施するための最良の形態】
【００１５】
以下、図面を参照して、本発明に係る遊技機の実施形態を説明する。
なお、以下の説明では、代表的な遊技機としてパチスロ遊技機を例にとって説明を行うが、本発明に係る遊技機はこれに限定されるものではない。
【００１６】
＜パチスロ遊技機の外観＞
図４、図５は、本発明の実施形態に係るパチスロ遊技機を示すもので、図４は筐体扉を開いた状態のパチスロ遊技機の斜視図、図５は筐体扉を閉じた状態のパチスロ遊技機の正面図である。
【００１７】
本発明の実施形態に係るパチスロ遊技機は、図４、図５に示すように、筐体本体１の前面に筐体扉２を開閉可能に取り付けることにより遊技機筐体が構成されている。
【００１８】
筐体扉２の前面のほぼ中央より上部には、正面パネル５が配設されており、この正面パネル５には、筐体本体１内に配設したリール１２ａ，１２ｂ，１２ｃの表面が臨む３個の表示窓１１ａ，１１ｂ，１１ｃを横並びに配設し、表示窓１１ａ，１１ｂ，１１ｃの下方には、演出表示等を行う液晶表示装置９を配設してある。
また、図示しないが、表示窓１１ａ，１１ｂ，１１ｃには、表示窓１１ａ，１１ｂ，１１ｃを横断するようにして合計５本の有効ライン表示が施されている。
【００１９】
この有効ライン表示は、横３本の有効ライン表示、およびこれらと交差する斜め２本の有効ライン表示からなり、遊技に供された遊技メダル数によって有効となるライン数が変化する。
【００２０】
また、正面パネル５には、表示窓１１ａの左側に位置するようにして、遊技に供された遊技メダル数と有効ライン表示との対応関係を表示するための５つの有効ラインランプ１７…が設けられている。さらに、表示窓１１ｃの右側に位置するようにして、パチスロ遊技機における遊技情報を表示するための５個の表示ランプ１０…が設けられている。これらの表示ランプ１０…は、例えば、遊技メダルの投入許可、遊技開始許可、ボーナス遊技の内部当選、遊技禁止、および打ち止めの告知等、種々の表示に用いることができる。
【００２１】
正面パネル５の下方には、遊技に供する遊技メダルを投入するためのメダル投入口１３、クレジットされた範囲内で遊技に供する遊技メダルを投入するための第１ベットボタン１４、第２ベットボタン１５、マックスベットボタン１６、クレジットされた遊技メダルを払い出すための貯留メダル精算ボタン１８、リール１２ａ，１２ｂ，１２ｃの回転を一斉に開始させるためのスタートレバー１９、および各リール１２ａ，１２ｂ，１２ｃの回転を個別に停止させるための３個のストップボタン２０ａ，２０ｂ，２０ｃ等が設けられている。
【００２２】
なお、第１ベットボタン１４は遊技メダルを１枚投入するためのベットボタンであり、第２ベットボタン１５は遊技メダルを２枚投入するためのベットボタンであり、マックスベットボタン１６は遊技メダルを最大許容投入枚数（例えば３枚）投入するためのベットボタンである。
【００２３】
また、スタートレバー１９等の下方に位置する筐体扉２の前面下部には、装飾表示を行うための腰部パネル６が配設されている。さらに、腰部パネル６の下方には、遊技メダルを払い出すためのメダル払出口８が設けられているとともに、メダル払出口８に臨むようにして遊技メダルを貯留するためのメダル貯留皿７が設けられている。
また、正面パネル５の上部に位置する筐体扉２の前面には、上部ランプ３および配当表パネル４が設けられている。
【００２４】
また、図４，図５に示すように、筐体本体１の内部には、リール１２ａ，１２ｂ，１２ｃ、主制御基板２３、電源装置２１、ホッパ２２等が配設されており、筐体扉２の内側には、液晶表示装置９、主制御基板２３の制御の下に液晶表示装置９の制御等を行うためのサブ制御基板（図示せず）が配設されている。
【００２５】
＜スピーカ＞
次に、図１を参照して、効果音等を発生するためのスピーカについて説明する。図１は、内部にスピーカを配設したリールの一部を切り欠いて示す斜視図である。
【００２６】
本実施形態に係るパチスロ遊技機は、リール１２ａの内部にスピーカ４１を配設してある。すなわち、図１に示すように、リール１２ａの内部には、表示窓１１ａに対向する位置にランプハウス３３が配設されており、ランプハウス３３の背面側に、ランプハウス３３と一体となるようにしてスピーカ４１が取り付けられている。
【００２７】
ランプハウス３３は、上下３つのボックスに分割されており、各ボックス内にそれぞれバックランプ３４ａ，３４ｂ，３４ｃが配設されている。なお、本実施形態では、表示窓１１ａ内に、上下方向に３個の図柄が停止表示されるように構成されているため、ランプハウス３３を上下３つのボックスに分割しているが、ランプハウス３３内に配設されるバックランプ３４ａ，３４ｂ，３４ｃの数は、表示窓１１ａ内に停止表示される図柄の数等に合わせて適宜変更することができる。
【００２８】
また、各ボックスには、スピーカ４１から発生する音声を透過するための複数の透音孔３５が設けられている。
リール１２ａは、回胴本体３１の外周にリールテープ３２を取り付けて構成されており、回胴本体３１の回動軸には、リール１２ａを回転させるためのモータ３６が取り付けられている。
【００２９】
なお、図１に示す例では、略円錐状の振動面を振動させて音声を発生させる一般的なスピーカ４１を用いているが、振動面が平面となっている面状スピーカを用いることもできる。特に、面状スピーカを用いることにより、スピーカの設置面積を減少させることができ、リール１２ａ内の限られたスペースを有効利用することができる。また、可撓性を有する透明素材により振動面を形成した面状スピーカを用いた場合には、ランプハウス３３の前面側に面状スピーカを配設することができる。
【００３０】
なお、図１は、左側のリール１２ａを代表して示しているが、中央および右側のリール１２ｂ，１２ｃもほぼ同様の構成となっている。この場合、ステレオスピーカとするには、中央のリール１２ｂにスピーカ４１を配設しなくてもよい。
【００３１】
＜リールテープ＞
次に、図２、図３を参照して、リールテープについて説明する。図２はリールの斜視図、図３はリールテープの平面図である。
【００３２】
リールテープ３２は、回胴本体３１の外周に取り付けて使用されるもので、透光性および可撓性を有する基板の裏面に図柄が印刷されている。すなわち、図３に示すように、各リールテープ３２には、複数の図柄が印刷されており、特に大当たりに関連した図柄である「七」の位置には、透音孔３７が設けられている。
【００３３】
このようなリールテープ３２を取り付けたリール１２ａ，１２ｂ，１２ｃでは、図２に示すように、リールリール１２ａ，１２ｂ，１２ｃの回転に伴って各透音孔３７も回転する。したがって、透音孔３７を設けた位置では、スピーカ４１からの音声が透音孔３７を通過するため大きく聞こえ、透音孔３７を設けていない位置では、スピーカ４１からの音声がリールテープ３２により遮られるので、透音孔３５の位置と比較して音声が小さく聞こえることとなる。
【００３４】
このため、遊技者は、音声が大きくなった時に、大当たりに関連した図柄である「七」が回動してきたことを認識することができるので、音声の強弱に合わせてストップスイッチ２０ａ，２０ｂ，２０ｃを操作することにより、いわゆる目押しを容易に行うことができる。
【００３５】
なお、図３に示す例では、各リールテープ３２毎にそれぞれ２１個の図柄が描かれているが、リールテープ３２に描く図柄の数および種類は適宜変更して実施することができる。また、透音孔３７を設ける位置は、大当たりに関連した図柄である「七」に限られず、他の図柄の位置に設けてもよい。
【００３６】
＜他の実施形態＞
上述した実施形態では、パチスロ遊技機を例にとって説明を行ったが、本発明は、リールの表面に複数の図柄を表示し、該リールを回転させることにより前記複数の図柄を可変表示する遊技機であれば、スロットマシン、パチンコ機、ゲームマシン等、他の遊技機にも適用することができる。
【００３７】
また、ランプハウスの背面側にスピーカを配設したが、スピーカの配設位置はこれに限られず、ランプハウス内にランプとともにスピーカを配設してもよい。
【００３８】
また、ランプハウスと一体にスピーカを設けるのではなく、ランプハウスとは別体にスピーカを設けることもできる。
【００３９】
また、ランプハウスの透音孔およびリールテープの透音孔は、どのような形状であってもよく、例えばメッシュ状とすることができる。さらに、リールテープの透音孔は省略することができる。
【図面の簡単な説明】
【００４０】
【図１】本発明の実施形態に係るパチスロ遊技機に用いるリールの一部を切り欠いて示す斜視図
【図２】本発明の実施形態に係るパチスロ遊技機に用いるリールの斜視図
【図３】本発明の実施形態に係るパチスロ遊技機に用いるリールテープの平面図
【図４】筐体扉を開いた状態の本発明の実施形態に係るパチスロ遊技機の斜視図
【図５】筐体扉を閉じた状態の本発明の実施形態に係るパチスロ遊技機の正面図
【符号の説明】
【００４１】
１      筐体本体
２      筐体扉
３      上部ランプ
４      配当表パネル
５      正面パネル
６      腰部パネル
７      メダル貯留皿
８      メダル払出口
９      液晶表示装置
１０      表示ランプ
１１ａ，１１ｂ，１１ｃ      表示窓
１２ａ，１２ｂ，１２ｃ      リール
１３      メダル投入口
１４      第１ベットボタン
１５      第２ベットボタン
１６      マックスベットボタン
１７      有効ラインランプ
１８      貯留メダル精算ボタン
１９      スタートレバー
２０ａ，２０ｂ，２０ｃ      ストップボタン
２１      電源装置
２２      ホッパ
２３      主制御基板
３１      回胴本体
３２      リールテープ
３３      ランプハウス
３４ａ，３４ｂ，３４ｃ      バックランプ
３５      透音孔
３６      モータ
３７      透音孔
４１      スピーカ
【図１】
2005040486.tif 000003
【図２】
2005040486.tif 000004
【図３】
2005040486.tif 000005
【図４】
2005040486.tif 000006
【図５】
2005040486.tif 000007